(57)【要約】  還元された酸化還元染料の、酸素の存在下での色変化特性に基づく時間指示器具は、予め定められた計量された量の酸化還元染料の酸化型の、予め定められたアルカリ性媒体中の有効量の還元剤を伴うレセプタクルへの初期の導入によって特徴付けられる。酸化還元染料の酸化型の還元型への転換は、封止済レセプタクル内で生じる。レセプタクルに導入される酸化された染料の量および還元剤の量の両方を厳密に制御することにより、酸化還元染料の還元型の予め定められた量だけを、レセプタクル内において形成させることができることを確実とする。予め定められた総表面積および酸素がレセプタクル内に進入することができる割合を有するレセプタクル内において形成された還元染料の量により、酸化還元染料の色遷移時間間隔が厳密に制御可能になる。時間指示器具の製造方法もまた開示されている。時間指示器具を組み込む、時間に敏感である製品のためのコンテナおよび有効期間の満了を示すためのバッジなどの物品がまた開示されている。
2008522163.tif 000002
【特許請求の範囲】
【請求項１】
内部容積を内包し、予め定められた総表面積を有し、およびレセプタクルの少なくとも一部が透明である封止済レセプタクルと、前記内部容積内に配置された予め定められた量の還元された酸化還元染料とを含み、前記還元された酸化還元染料が前記レセプタクルの外部から視認可能であり、前記酸化還元染料が、その還元型において、酸素と反応するにつれその色相が変化し、色遷移時間間隔にわたって初期知覚色から最終知覚色へ変遷する特性を有する器具であって、
前記レセプタクルが、０．１ｃｃ−ｍｉｌ／１００インチ2−１日−１気圧〜３５０ｃｃ−ｍｉｌ／１００インチ2−１日−１気圧の範囲の酸素透過度で酸素が前記レセプタクルの内部容積に進入可能であるよう構成された１つまたは複数の材料から作製されており、
前記材料が、好ましくは１２μｍ〜１２５μｍの範囲の厚さを有すると共に、好ましくはポリアミド、ポリエステル、ポリ塩化ビニル、ポリ塩化ビニリデン、ポリエチレン、ポリプロピレン、またはこれらの２つ以上の組み合わせであり、
前記レセプタクルが、予め定められた量の使用済還元剤をその中に含み、前記使用済還元剤は、前記レセプタクルの封止前にその中に導入された、アルカリ性媒体中の有効量の還元剤の存在下での、酸化還元染料の酸化型の還元型への現場での転換から生成されており、
前記レセプタクルが、任意によりその内部に配置された基材または保水材料を含んでもよく、前記酸化還元染料が前記基材中または前記基材上に配置されており、
前記基材は、ポリエステル、ニトロセルロースレーヨン繊維、ナイロン繊維、ゲル、紙、クレイ、ゼオライト、処理ガラス、皮革、織布、毛管現象により液体を吸込むいずれかの材料、またはこれらの２つ以上の組み合わせを包含し、
前記保水材料は、グリセロール、水−グリセロール混合物、ＰＥＧ、寒天−水混合物を包含し、
前記レセプタクルへの導入時においては、実質的にすべての前記酸化還元染料が酸化型であり、および
前記現場での転換後に前記レセプタクル中に存在する前記酸化還元染料の還元型の量が、前記酸化還元染料の還元型の色遷移時間が厳密に制御されることが可能であるよう、前記レセプタクルへの酸素透過度および前記レセプタクルの総表面積に従って決定される器具。
【請求項２】
前記レセプタクルが、紙、ゲル、またはこれらの組み合わせを包含する吸着媒である基材を含む、請求項１に記載の器具。
【請求項３】
前記レセプタクルが、前記レセプタクル内に配置されたグリセロールである保水材料を含む、請求項１に記載の器具。
【請求項４】
前記レセプタクルを形成する材料のうちの一つの上または前記基材上に配置されたメッセージ証印をさらに含み、
前記メッセージ証印は、前記初期知覚色を含む色コントラスト範囲外である酸化還元染料の色相によって不明瞭とされる一方で、前記最終知覚色を含む色コントラスト範囲内である酸化還元染料の色相に対して識別可能なコントラストを有する色が付与され、
前記証印は、任意により、前記基材上に水不溶性インクでプリントされており、および
前記メッセージ証印の色と前記色コントラスト範囲内の前記酸化還元染料の色相との間の前記コントラストによって、予め定められたメッセージアクセスのために、前記メッセージ証印は前記レセプタクルの外部から視認可能になる、請求項１〜３のいずれか一項に記載の器具。
【請求項５】
酸素不透過性材料を含む、またはそれから作製されるジャケットをさらに含み、前記材料の開裂が前記器具の機能を開始させ、および前記酸素不透過性材料が好ましくは金属化ポリマーフィルムである、請求項１〜４のいずれか一項に記載の器具。
【請求項６】
アルカリ性媒体中の前記還元剤がヒドロ亜硫酸ナトリウムおよび水酸化ナトリウムの溶液を含み、アルカリ性溶液中の前記還元剤は、好ましくはフィルムまたは脆性材料中に封入されており、および前記溶液は、任意により、水、グリセロール、または両方を含みかつ好ましくは水溶液である、請求項１〜５のいずれか一項に記載の器具。
【請求項７】
水酸化ナトリウムに対するヒドロ亜硫酸ナトリウムの比が１〜８または１〜４の範囲であり、前記比は前記初期知覚色の色相を決定する、請求項６に記載の器具。
【請求項８】
前記酸化還元染料に対するアルカリ性媒体中の前記還元剤の比が１６〜１０，０００の範囲であり、および封止する前の前記レセプタクルに導入される前記還元剤の有効量は、実質的に（１）前記酸化還元染料の酸化型のすべてをその還元型に転換するために必要な量にのみ等しい、または（２）前記酸化還元染料の酸化型の予め定められた分量が封止済レセプタクル中に存在するよう、前記酸化還元染料の酸化型のすべてをその還元型に転換するために必要な量未満である、
請求項１〜７のいずれか一項に記載の器具。
【請求項９】
前記レセプタクル内に配置された有効量の脱酸素材料をさらに含み、
前記脱酸素材料は、前記酸化還元染料よりも速く酸素と反応することが可能であり、任意により、紫外光により活性化可能であり、
前記レセプタクル内の前記脱酸素材料の量は、前記色遷移時間の開始前に予め定められた遅延時間が定義されるよう、前記レセプタクルへの酸素透過度および前記レセプタクルの総表面積に従って決定され、および
前記脱酸素材料の量の程度によって前記遅延時間の継続期間が調整的に選択可能である、請求項８に記載の器具。
【請求項１０】
コンテナ内に配置された時間に敏感な物品についての有効寿命時間の表示方法または点検バッジについての有効な時間の表示方法であって、
（ａ）器具を前記コンテナまたは前記点検バッジの、視認者に視認可能な位置に付ける工程であって、前記器具自体が請求項１〜９のいずれか一項に記載のものである工程、
（ｂ）前記知覚最終色を検出するために前記レセプタクル中の前記酸化還元染料を監視する工程、および任意により
（ｃ）前記酸化還元染料が前記最終知覚色へ遷移された場合、前記物品を廃棄する工程
を含む方法。
【請求項１１】
器具の製造方法であって、
（ａ）封止時に予め定められた総表面積を有するレセプタクルの内部容積内に、予め定められた計量された量の酸化還元染料の酸化型を配置する工程であって、前記レセプタクルが、０．１ｃｃ−ｍｉｌ／１００インチ2−１日−１気圧〜３５０ｃｃ−ｍｉｌ／１００インチ2−１日−１気圧の範囲の酸素透過度で酸素が前記レセプタクルの内部容積に進入可能であるように１つまたは複数の材料から作製されており、
前記材料が好ましくはポリアミド、ポリエステル、ポリ塩化ビニル、ポリ塩化ビニリデン、ポリエチレン、ポリプロピレン、またはこれらの２つ以上の組み合わせであり、前記材料は、任意により、１２μｍ〜１２５μｍの範囲の厚さを有し、
前記酸化還元染料が、その還元型において、酸素と反応するにつれその色相が変化し、色遷移時間間隔にわたって初期知覚色から最終知覚色へ変遷する特性を有し、
任意により基材上または基材中に前記酸化還元染料を配置する工程およびこれに続く、前記基材を前記レセプタクル内に配置する工程、
任意により、請求項４に記載のメッセージ証印を、前記材料のうちの一つまたは前記基材の中またはその上に配置する工程、
（ｂ）アルカリ性媒体中の有効量の還元剤を前記レセプタクルに導入する工程であって、前記還元剤の量が、前記酸化還元染料の酸化型を予め定められた量の還元型に現場で転換することが可能である量であり、
前記酸化還元染料の還元型の予め定められた量が、前記酸化還元染料の還元型の色遷移時間が厳密に制御されることが可能であるよう、前記レセプタクルへの酸素透過度および前記レセプタクルの総表面積に従って決定され、
前記初期知覚色を含む色コントラスト範囲外である前記酸化還元染料の色相によって不明瞭とされる一方で、前記最終知覚色を含む色コントラスト範囲内である前記酸化還元染料の色相に対して識別可能なコントラストを有する色が付与され、
前記メッセージ証印の色と前記色コントラスト範囲内の前記酸化還元染料の色相との間のコントラストによって、予め定められたメッセージアクセス時間の間、前記メッセージ証印が前記レセプタクルの外部から視認可能になる工程、
（ｃ）前記レセプタクルを封止して前記器具を作製する工程、
（ｄ）任意により、前記器具を６０℃未満の温度で硬化する工程、
および
（ｅ）任意により、前記器具を、酸素不透過性材料を含むまたはそれから作製される酸素不透過性材料から形成されるジャケット中に内包させる工程であって、前記材料の開裂が方法を開始させる工程
を含む方法。
【請求項１２】
前記レセプタクルを形成する材料のうちの一つの上または前記基材上に前記メッセージ証印を配置する工程、および前記基材上または前記基材中に前記酸化還元染料を配置する工程、およびこれに続く、前記基材を前記レセプタクル内に配置する工程を含み、前記基材が、任意により紙またはゲルまたは両方を含む固体または半固体吸着媒である方法であって、前記方法は、任意により、前記レセプタクルを封止する前に、前記基材上に前記メッセージ証印を配置する工程を含む、請求項１１に記載の方法。
【請求項１３】
前記基材が紙またはゲルまたは両方を含み、前記メッセージが、任意により、前記基材上に水不溶性インクでプリントされている、請求項１１または１２に記載の方法。
【請求項１４】
前記器具が、前記レセプタクル内に配置された保水材料をさらに含み、前記保水材料は、任意によりグリセロールを含む、請求項１１〜１３のいずれか一項に記載の方法。
【請求項１５】
前記ジャケット中に前記器具を内包する工程をさらに含み、前記酸素不透過性材料が、任意により金属化ポリマーフィルムを含む、請求項１１〜１４のいずれか一項に記載の方法。
【請求項１６】
アルカリ性媒体中の前記還元剤がヒドロ亜硫酸ナトリウムおよび水酸化ナトリウムの溶液を含み、アルカリ性溶液中の前記還元剤は、好ましくはフィルムまたは脆性材料中に封入されており、水酸化ナトリウムに対するヒドロ亜硫酸ナトリウムの比が１〜８または１〜４の範囲であり、および前記比は初期知覚色の色相を決定し、前記溶液は好ましくは水溶液であり、および前記溶液は、任意により、水、グリセロール、または両方を含む、請求項１１〜１５のいずれか一項に記載の方法。
【請求項１７】
酸化還元染料に対するアルカリ性媒体中の還元剤の比が、１６〜１０，０００の範囲である、請求項１６に記載の方法。
【請求項１８】
前記レセプタクルを封止する前に、前記レセプタクルに還元剤を導入する工程、または有効量の脱酸素材料を前記レセプタクル内に配置する工程をさらに含み、前記還元剤が、実質的に、前記酸化還元染料の酸化型のすべてをその還元型に転換するために必要な量に等しく、または前記酸化還元染料の酸化型のすべてをその還元型に転換するために必要な量を超える量であり、または前記酸化還元染料の酸化型の予め定められた分量が封止済レセプタクル中に存在するよう前記酸化還元染料の酸化型のすべてをその還元型に転換するために必要な量未満であり、前記脱酸素材料が請求項４に記載のものである、請求項１１に記載の方法。
【請求項１９】
時間の経過を指示する器具を含む、時間に敏感な物品のためのコンテナであって、
前記コンテナが、前記時間に敏感な物品が受容される筐体を画定し、
前記器具が前記コンテナに付けられており、視認者に視認可能であり、そして請求項１〜９のいずれか一項に記載のものであるコンテナ。
【発明の詳細な説明】
【技術分野】
【０００１】
本発明は、視認者に対する時間経過指示器具、時間の経過を指示するための方法、および時間に敏感な製品または点検に関連して用いられるバッジおよびコンテナなどの、この器具を備えた物品またはコンテナに関する。
【背景技術】
【０００２】
消費者に現在利用可能である多数の製品または点検は、それらの新鮮さ、効力および／または安全性が制限された持続時間、または「保管寿命」を有するという点において「時間に敏感」である。消費者が、製品が使用不可能になるまでの時間を追うことができるようにする時間指示器具を提供するために種々の試みがなされてきた。
【０００３】
時間指示器具は、初期知覚色から最終知覚色への物質の色の変化に依存している。物質の初期から最終知覚色への変化が生じる間の時間間隔は、「色遷移時間間隔」と呼ばれている。本出願のコンテクストにおいて、この間隔は、物質が初期知覚色の色相から遷移し始めてから、最終色相が達成されて終了するまでの時間から計測される。予備的な「遅延時間間隔」が、色遷移時間間隔の開始までのいくつかの初期時間標識から定義され得る。時間指示器具の運用についての全体の「経過時間」は、遅延時間間隔および色遷移時間間隔の和である。
【０００４】
時間指示器具は、染料拡散に、または還元染料の酸素との反応に基づくことができ、ここで反応は封止済レセプタクル内で実施される。例えば、米国特許第４，９０３，２５４号明細書、同５，６３３，８３５号明細書、および同３，４８０，４０２号明細書ならびに国際公開第０２／４６７４１号パンフレットを参照のこと。
【０００５】
還元染料の酸素との反応に基づく時間指示器具を生産するために、染料がレセプタクルの外で還元され、次いでフィルタ紙基材上に付着される。基材はレセプタクルに挿入される前にすすがれる。このプロセスは時間がかかり、およびこの器具を製造するためのプロセスコストが増加する。さらに、フィルタ紙上への染料および還元剤の無制御的な吸収のために、レセプタクル内にパッケージされる還元染料の量および還元剤の過剰量を厳密に制御することが困難である。これにより、色遷移時間間隔および経過時間の長さを制御することが困難になる。
【０００６】
還元された酸化還元染料の酸素との反応に基づく時間指示技術はまたパッケージングについての時間−温度履歴の監視にも対応することができ、予め定められた時間−温度の組み合わせが溶液中の亜鉛の濃度から測定される。例えば、積層工程を包含し、および染料の還元がポーチの外で実施される米国特許第３，７６８，９７６号明細書を参照のこと。これらの工程は、とりわけ、このようなシステムの生産コストを高くしてしまう可能性がある。さらに、このような時間指示方法は、相当な量の、反応性成分を含有する液体を使用しており、およびポーチの破損は安全上の問題を生じさせ得る。
【０００７】
従って、以上の点に即して、時間経過指示器具およびこの器具の経済的な製造方法を提供することが望ましい。遅延時間および色遷移時間の両方を厳密に調整することが可能である時間指示器具を提供することも、有益であると考えられている。時間に敏感な製品または点検に有用である、コンテナまたはバッジなどの、時間指示器具を包含する物品を提供することがさらに有益であると考えられている。
【０００８】
このような時間指示器具ならびにこれを製造する方法および使用する方法は、従来技術において入手可能なものを超えて、使用者に顕著なコスト的および性能的有益性をもたらすと考えられている。
【発明の開示】
【課題を解決するための手段】
【０００９】
本発明は、時間指示器具およびこれの製造方法および使用方法を対象としている。本発明に基づく時間指示器具は、還元された酸化還元染料の酸素の存在下での変色特性に基づいている。
【００１０】
本発明は、予め定められた計量された量の酸化型の酸化還元染料の、予め定められたアルカリ性媒体中の有効量の還元剤を伴うレセプタクルへの初めからの導入によって特徴付けられる。次いで、レセプタクルは封止される。酸化還元染料の酸化型の還元型への転換は、現場で(in situ:すなわち、レセプタクル内）で生じる。レセプタクルは、０．１ｃｃ−ｍｉｌ／１００インチ2−１日−１気圧〜３５０ｃｃ−ｍｉｌ／１００インチ2−１日−１気圧の範囲の酸素透過度で酸素がレセプタクルの内部容積に進入可能であるよう、１つまたは複数の材料から作製されている。
【００１１】
レセプタクルに導入される、酸化された染料の量および還元剤の量の両方を厳密に制御することによって、予め定められた量の酸化還元染料の還元型のみがレセプタクル内で形成可能になることを保障する。レセプタクル内で形成されることができる還元染料の量を制御することにより、および酸素がレセプタクルに進入することができる割合を制御することにより（レセプタクルの構成に用いる材料の選択、およびレセプタクルの表面積の選択により）、酸化還元染料の色遷移時間間隔を厳密に制御可能とすることができる。
【００１２】
レセプタクルに導入される還元剤の量は、酸化還元染料の酸化型の全量を還元型に転換するために必要とされる量に一致し得る。あるいは、この還元剤の量を超える量、またはこれ未満の量の一方がレセプタクルに導入され得る。還元剤は、ヒドロ亜硫酸ナトリウム（「ｈｙｄｒｏ」）および水酸化ナトリウム（ＮａＯＨ）を含む水溶液である。グリセロールなどの保水剤もまた溶液中に含まれ得る。
【００１３】
酸化還元染料よりも速く酸素と反応することができる脱酸素材料もまた、レセプタクルに導入され得る。レセプタクル内の脱酸素材料の量は、予め定められた遅延時間が色遷移時間の開始前に定義されるよう、レセプタクルへの酸素透過度およびレセプタクルの表面積に従って決定される。遅延時間の継続時間は、脱酸素材料の量に従って調整的に選択可能である。
【００１４】
還元剤自体が脱酸素材料であるため、過剰量のこの還元剤が用いられた場合には、酸化された染料を還元型に転換するために必要とされる量に追加されるその分量が、遅延時間を制御するために役立つ。丁度の量またはより少ない量の還元剤が用いられる場合（または、脱酸素剤として作用することができない還元剤が用いられた場合）の他の事例においては、追加の脱酸素材料がレセプタクルに配置されてもよい。
【００１５】
生産直後には、本発明の時間指示器具は、典型的には、好適な酸素不透過性材料で形成されたジャケット中に封入されているであろうことが予期される。ジャケットの開裂に伴って、酸素のレセプタクルへの拡散が開始されることができる。
【００１６】
本発明の時間指示器具は、その内部に無数の時間に敏感な製品がパッケージされ得る広く多様なコンテナと共に用い得る。時間指示器具はまた、バッジにおけるもの（例えば、有効な期間の満了を表示するためのセキュリティーパス）、または潤滑剤またはフィルタの交換のための時間を表示するためなどの点検に関連して用いられ得る。いずれの場合においても、時間指示器具は、場合によって、コンテナまたはバッジの外部上に付けられまたは内部に配置され得る。当然ながら、コンテナまたはバッジの内部に時間指示器具が封止される場合には、酸素不透過性ジャケットはおそらく用いられないであろう。
【００１７】
本発明は、本出願の一部を構成する添付の図面を参照して、以下の本明細書における詳細な記載からより完全に理解されるであろう。
【発明を実施するための最良の形態】
【００１８】
以下の詳細な説明の全体にわたって、類似の符号は、図面のすべての図における類似の要素を指す。
【００１９】
図１は、本発明の時間指示器具において用いられる還元された酸化還元染料の時間依存性色特性のグラフ表示であり、ここで、時間がｘ軸上にプロットされており、および色がｙ軸上にプロットされている。グラフは、本出願の明細書および特許請求の範囲の全体にわたって用いられる用語の理解を容易とするために有用である。
【００２０】
上記に要点を述べたように、一態様において、本発明は、予め定められた時間が経過したことの使用者へのシグナルとして、還元された酸化還元染料の酸化された染料の最終知覚色への遷移を利用する時間指示器具を対象とする。全体の経過時間（ＥＴ）が、予め定められた開始時刻ｔ0に始まりおよび時刻ｔ2で終了するとして、図１にグラフで示されている。
【００２１】
還元された酸化還元染料が、その初期知覚色ｃ0から最終知覚色ｃ2に変遷する間の時間間隔は、「色遷移時間間隔」と称され、図１においてＣＴＴとして示してあり、および時刻ｔ1および時刻ｔ2の間に延在しているとしてグラフに示されている。時刻ｔ1においては、還元された酸化還元染料が初期知覚色の色相ｃ0から遷移され始めている。時刻ｔ2においては、最終知覚色ｃ2の色相が視認者に表されている。
【００２２】
予備的な「遅延時間間隔」（ＤＴ）が初期時間標識ｔ0および時刻ｔ1の間に延在しているとして定義される（これは色遷移時間間隔ＣＴＴの開始を示す）。遅延時間間隔の間のいくつかの時点において、還元された酸化還元染料はその初期知覚色ｃ0を達成する。酸化還元染料が、初期知覚色を達成する前に予備的な変色を経るといった事例もあり得る。これらの変色は、色遷移時間間隔の開始を示すものではなく、初期知覚色が発現され得る条件を達成するために、還元された酸化還元染料に必要な単なる導入的な変化である。
【００２３】
還元された酸化還元染料の色相は、初期知覚色ｃ0から最終知覚色ｃ2に向けて進むにつれて「コントラスト色範囲」ｃ1を通る。コントラスト色範囲ｃ1の開始は時刻ｔmで生じ、ここで、ｔmは時刻ｔ1および時刻ｔ2の間にある。
【００２４】
本願明細書において完全に解明されるように、本発明の時間指示器具はまた、その中に配置されたメッセージ証印を包含し得る。メッセージ証印は、予め定められたメッセージ色が付与される。メッセージ色は、コントラスト色範囲ｃ1の外の色相によって不明瞭とされる一方で、コントラスト色範囲ｃ1の内である色相とは識別可能なコントラストを示すよう選択されることができる。時刻ｔmおよび時刻ｔ2の間の間隔は、従って、メッセージ証印が、コントラスト色範囲内の色相に対して段々と高くなるコントラストを示し、従って、次第に視認者に対して視認性が高くなる、「メッセージ出現時間間隔」（ＭＡＴ）を定義する。
【００２５】
図２Ａおよび２Ｂを参照すると、本発明に基づく、全体が符号１０で示されている時間指示器具の高度に様式的な側面図および平面図が示されている。器具１０は、内部容積１４を内包する封止済レセプタクル１２を含む。
【００２６】
レセプタクル１２は、いずれかの多様な形態で構成され得る。好ましくは、図２Ａおよび２Ｂに示すとおり、レセプタクル１２は、それぞれが互いに重畳されている、第１のおよび第２の高分子バリアフィルム１６、１８によって画定されている。バリア性フィルム１６、１８は可撓性であることが好ましいが、剛性フィルムも用いられ得る。バリア性フィルム１６、１８は、周縁封止ライン２０に沿って封止されて、内部容積１４を内包している。封止ライン２０内のフィルム１６、１８の面積は、レセプタクルの予め定められた総表面積１２を画定する。各バリア性フィルム１６および／または１８は、それ自体多層フィルム構造を含み得る。バリア性フィルムの少なくとも１つ（例えばフィルム１６）は、透明または、（透明でなければ）視認用孔１６Ｖと同等に設けられている。レセプタクル１２は、後述するように、酸素が内部容積１４に、予め定められた酸素透過度で進入することができるよう構成されている。
【００２７】
バリアフィルム
いずれかの多数の種々の高分子材料は、バリア性フィルム１６、１８のために用いられ得る。高分子材料は、レセプタクル１２の内容物に対して不活性であることが望ましい。好適な高分子材料としては、ポリアミド、ポリエステル、ポリ塩化ビニル、ポリ塩化ビニリデン、ポリエチレン、およびポリプロピレン（非延伸または二軸延伸）が挙げられる。熱封止性ポリエステルフィルムおよびナノクレイ−含有フィルムもまた好適である。ポリ（塩化ビニリデン）−被覆ポリエチレンテレフタレート（ＰＥＴ）フィルムまたはポリ（塩化ビニリデン）−被覆ポリプロピレンフィルムなどの被覆材料もまた、レセプタクルの内部容積への酸素の透過速度を低減させるために用いられ得る。他の好適なコーティングとしては、シリカ、炭素、アルミニウム、ポリ塩化ビニリデン（ＰＶＤＣ）、またはナノクレイ粒子を含有するポリマーが挙げられる。
【００２８】
高分子材料の組み合わせのいずれかが、レセプタクル１２の内部容積１４に、０．１ｃｃ−ｍｉｌ／１００インチ2−１日−１気圧〜３５０ｃｃ−ｍｉｌ／１００インチ2−１日−１気圧の範囲の酸素透過度で酸素が進入することができるよう、バリア性フィルム１６、１８として用いられるために選択され得る。レセプタクル１２に進入する酸素の量は、バリア性フィルム１６、１８の厚さおよびレセプタクルの総表面積によっても影響される。好ましくは、各バリア性フィルム１６、１８は、二分の一ｍｉｌ（０．５ｍｉｌ）〜五ｍｉｌ（５ｍｉｌ）（１２μｍ〜１２５μｍ）の範囲の厚さ寸法を有する。
【００２９】
周縁封止部２０の形成方式もまた、酸素透過速度の制御を補助することができる。例えば、周縁封止部は、熱封止、接着剤または機械的クランプまたは締結具を用いて形成することができる。
【００３０】
図２Ａおよび２Ｂに示された本発明の実施形態において、予め定められた量の還元された酸化還元染料２２（点によって図示される）が、レセプタクル１２の内部容積１４に包含された基材２４上に担持されている。還元された酸化還元染料２２は、酸素と反応して色遷移時間間隔にわたって初期知覚色ｃ0から最終知覚色ｃ2へ変遷するという特性を有する。還元された酸化還元染料２２の最終色ｃ2への変遷は（視認者によって知覚されるとおり）、経過時間の終了を示す。還元された酸化還元染料２２は、視認者にレセプタクルの外部から視認可能であるようレセプタクル１２内に位置される（場合に応じて透明フィルム１６または視認用孔１６Ｖの一方を通して）。
【００３１】
酸化還元染料
ロイコメチレンブルー、インジゴカルミン、Ｃｉｂａ  Ｓｃａｒｌｅｔ  Ｂ．Ｇ．、Ｃｉｂａｎｏｎｅ  Ｙｅｌｌｏｗ、ナトリウムアントラキノンβ−スルホネートを包含する、酸化還元染料のいずれか、または酸化還元染料の混合物を用い得る。およそ４平方インチ（４ｉｎ2；６．４５ｃｍ2）の表面積を有するレセプタクル中に配置される還元された酸化還元染料の重量は、好ましくは０．０２５ｍｇ〜２００ｍｇの範囲、およびより好ましくは０．０２５ｍｇ〜１ｍｇの範囲である。
【００３２】
好ましい酸化還元染料は、Ｃｉｂａｎｏｎｅ  Ｙｅｌｌｏｗ染料である。この染料の還元型は、濃い青または赤−オレンジ（考慮されるべき好ましい還元剤の成分の比に応じて）としての知覚初期色を呈する。酸化型のこの染料の知覚最終色は黄色である。
【００３３】
興味深いことに、ポリプロピレンのような比較的低バリア性のフィルムがレセプタクルの形成に用いられている場合、色変化は、基材２４の染色された領域の周縁から開始して中心に向かって進むことが見出されている。
【００３４】
基材
図２Ａおよび２Ｂに図示されているように、還元された酸化還元染料２２は、セルロース紙のシートなどの好適な基材２４中または上に担持されている。基材２４としての使用に好適である他の材料としては、固体または半固体（例えば、（架橋親水性）ポリエステル、ニトロセルロースレーヨン繊維、ナイロン繊維、シリカゲルなどのゲル、フィルタ紙、毛管現象により液体を吸込むいずれかの類似材料、またはこれらの２つ以上の組み合わせ）が挙げられる。他の好適基材としてはまた、固体吸着媒（クレイ、ゼオライト、処理ガラス、皮革および織布などの）が挙げられる。基材２４は、後述されるようにメッセージ証印４２用の有用な担体として役立つことができる（図３Ａ〜３Ｅ）。メッセージ証印４２は、代わりに、レセプタクル１２の底部境界を形成するフィルム１８の内部表面上に配置され得る。
【００３５】
他の実施形態において、還元された酸化還元染料２２が内部容積１４内に直接的に収容され得ることは、本発明の予期の範囲内にある。例えば、還元された酸化還元染料２２は、粉末、丸剤、液体、またはゲルの形態で配置され得る。これらの事例においては、個別のメッセージパネル（図示せず）が、レセプタクル１２内に位置され得ると共に、還元された酸化還元染料の下に位置され得る。
【００３６】
本発明によれば、酸化還元染料は酸化型にある状態でレセプタクル１２に導入される。酸化還元染料は、予め定められた計量された量の、アルカリ性媒体中の還元剤（レセプタクル１２内に、その封止前に同様に導入される）の存在下に、現場で転換される（すなわち、レセプタクル１２の内部容積１４において）。アルカリ性媒体中の還元剤は、２６で網掛けされた液体として図２Ａ中に図示されている。
【００３７】
いくつかの点において、レセプタクルはまた、予め定められた量の使用済還元剤をその中に有する。例示する目的のため、使用済還元剤２８は図２Ａ中に記号「＋」によって図示されている。使用済還元剤は、レセプタクル１２中において、アルカリ性媒体中の有効量の還元剤の存在下に酸化された酸化還元染料の現場での転換の結果として形成される。
【００３８】
還元剤
好適な還元剤としては、硫酸アンモニウム、第一鉄化合物、ヒドロ亜硫酸ナトリウム（「ｈｙｄｒｏ」）、単糖、および少糖類、アスコルビン酸、またはグルコースが挙げられる。好ましい還元剤は、ヒドロ亜硫酸ナトリウム（「ｈｙｄｒｏ」）および水酸化ナトリウム（ＮａＯＨ）の水溶液である。
【００３９】
還元剤をアルカリ性媒体中に導入することができ、これは計量されたアルカリを含有する脱酸素水から形成することができる。
【００４０】
水酸化ナトリウム（ＮａＯＨ）に対するヒドロ亜硫酸ナトリウム（「ｈｙｄｒｏ」）の比は、酸化還元染料の初期知覚色を決定する。水酸化ナトリウムに対するヒドロ亜硫酸ナトリウムの比は、一（１）から八（８）、または一（１）から四（４）の範囲にあることができる。
【００４１】
酸化還元染料に対するアルカリ性媒体中の還元剤の比は、十六から１万（１６〜１０，０００）の範囲にあることができる。
【００４２】
色遷移時間間隔制御
本発明の時間指示器具１０の特徴は、色遷移時間間隔の持続時間を厳密に制御する性能である。本発明によれば、この制御は、レセプタクル１２内に予め定められた量の還元型の酸化還元染料を配置することによって達成される。酸化還元染料の還元型の所望量は、レセプタクルへの酸素透過度およびレセプタクルの表面積に従って決定される。これらの要因の両方が、レセプタクルに進入する酸素の量に影響を及ぼす。還元された酸化還元染料の厳密な量についての制御は、酸化還元染料の酸化型をレセプタクルに初期において導入し、およびその後予め定められた有効量の還元剤をレセプタクルに導入することによって達成される。厳密な予め定められた量の還元された酸化還元染料が、これにより、酸化型の転換によって現場（すなわち、レセプタクル内で）で生成される。
【００４３】
一つのケースにおいて、レセプタクルに導入される還元剤の有効量は、酸化還元染料の酸化型の実質的にすべてをその還元型に転換するために必要な量のみに等しい。
【００４４】
しかしながら、代替として、還元剤の有効量は酸化還元染料の酸化型のすべてをその還元型に転換するために必要な量より過剰であり得、従って過剰量の還元剤をレセプタクル内に残留させる。
【００４５】
さらなる代替として、還元剤の有効量は、酸化還元染料の酸化型のすべてをその還元型に転換するために必要な量未満であり得る。この場合においては、酸化還元染料の酸化型の残留分がレセプタクル中に残留する。（過剰量の還元剤または酸化された染料の残留分のレセプタクル内での存在は、「他のレセプタクル含有物」２９の実施形態であり、および図２Ａに、図２Ａ中の記号「／」によって図示される。）
【００４６】
遅延時間間隔制御
還元された酸化還元染料よりも速く酸素と反応することができる脱酸素材料がレセプタクルに導入され得る。レセプタクル内の脱酸素材料の量は、レセプタクルへの酸素透過度およびレセプタクルの表面積に従って決定される。遅延時間間隔ＤＴ（図１）の持続時間は、レセプタクル中の脱酸素材料の量に従って選択可能である。（レセプタクル中の脱酸素材料の存在は、２９によって図２Ａに示される、「他のレセプタクル含有物」の他の実施形態である。）
【００４７】
好ましい還元剤自体が脱酸素材料であるため、この還元剤が過剰量で用いられる場合に、酸化された染料を還元型に転換するために必要な量に追加のその分量が遅延時間の制御に役立つ。好ましい還元剤が丁度の量またはより少ない量で用いられる（または、脱酸素剤として役立つことができない還元剤が用いられる）他の事例においては、追加の脱酸素材料をレセプタクル中に配置することができる。
【００４８】
脱酸素材料
いかなる脱酸素材料（好ましくは紫外光によって活性化されるもの）をも用いられ得る。好適な脱酸素材料としては、Ａｇｅｌｅｓｓ（登録商標）Ｅ−２００酸素指示錠剤などの、三菱化学株式会社によって商品名「Ａｇｅｌｅｓｓ（登録商標）」で販売されている酸素指示錠剤が挙げられる。Ｃｒｙｏｖａｃ  ＣｏｍｐａｎｙによってＣｒｙｏｖａｃ（登録商標）ＯＳ２０００系として販売されている紫外光活性性高分子脱酸素系、または国際公開第２００４／００５４２４号パンフレットに記載の紫外光活性性半導体配合物もまた用いられ得る。他の好適な脱酸素材料としては、タンニン、カルボヒドラジドおよびＣｏｍｌｅｔｉｏｎ  Ｐｒｏｄｕｃｔｓ  ａｎｄ  ＳｅｒｖｉｃｅｓによってＯＳ−８として販売されている材料、非硫黄系脱酸素剤である有機塩が挙げられる。紫外光活性性材料が、時間指示器具の無酸素環境中での保管の必要性を排除して、時間指示器具についてより長い保管寿命の利益を提供するため、好ましい場合がある。
【００４９】
保水剤
レセプタクルは、保水材料をも含有し得る。好適な保水材料としては、グリセロール、水−グリセロール混合物、ＰＥＧ、寒天−水混合物が挙げられる。（レセプタクル中の保水材料の存在は、２９によって図２Ａ中に示される「他のレセプタクル含有物」の他の実施形態である）
【００５０】
過剰な還元剤／酸化された染料の残留分、脱酸素材料および／または保水剤の組み合わせは、２９によって図２Ａに示される「他のレセプタクル含有物」に包含され得る。
【００５１】
酸素不透過性ジャケット
レセプタクル１２は、重畳された上方および下方シース（それぞれ）３２、３４から形成された酸素不透過性ジャケット３０中に内包されることができる。シースは、符号３６によって呈示されるとおり、酸素不透過性の態様でそれらの相互に接合接触する縁部に沿って封止される。酸素不透過性ジャケット３０の上方シース３２およびレセプタクルを形成する１つのフィルム１６の部分が、図示の明確さのために図２Ｂにおいて切り抜かれている。酸素不透過性ジャケット３０として用いるために好適な材料は、金属化フォイルまたは金属化ポリマーフィルムである。
【００５２】
上方シース３２の一領域が３８のように有孔とされており、取り外し可能なタブ４０を画定している。タブ４０取り付け位置にあると、レセプタクル１２へ透過する酸素は利用可能ではない。しかしながら、タブ４０を取り外すと上方フィルム１６の部分を酸素に露出させ、これにより、レセプタクル１２への酸素透過を許容する。この動作は、時刻ｔ0を表し、および遅延時間間隔を開始させる。
【００５３】
また、酸素不透過性ジャケットを用いる代わりに、還元剤が、架橋性ポリエーテル、ビニル末端ポリジメチルシロキサン、アルギン酸塩等などのフィルムまたは脆性材料中に封入され得る。
【００５４】
図３Ａから３Ｅは、上記のメッセージ証印４２の運用を図示する一連の様式的な表示である。メッセージ証印４２は、メッセージの視認者への伝達に機能する、英字、数字または記号文字のいかなる組み合わせをも含み得る。図３Ａから３Ｅにおいて、メッセージ証印は視認者に対して単語「無効」を表す。
【００５５】
メッセージ証印４２は、紙基材２４上に担持され得、この場合、水不溶性インクでプリントされ得る。また、証印は、フィルム１６または１８、またはレセプタクル内に配置された個別のメッセージパネルにプリントされ得、またはそうでなければ取り付けられ得る。
【００５６】
証印４２は、コントラスト色範囲ｃ1（初期知覚色ｃ0を含む）の外の色相によって不明瞭とされる一方で、コントラスト色範囲ｃ1の内であって最終知覚色ｃ2を含む色相について識別可能なコントラストを有する色が付与される。このように、証印は、酸化還元染料が初期知覚色ｃ1から最終知覚色ｃ2に変遷するにつれてより視認可能になる。
【００５７】
図３Ａおよび３Ｂに示されているように、色遷移時間間隔の初期段階間際である時刻ｔa、ｔbでは、メッセージパネル上に含まれている証印（すなわち、メッセージ「無効」）は完全に不明瞭であり（図３Ａ）および、時間が経過するにつれて、ほんのかすかに視認可能となる（図３Ｂ）。メッセージ出現時間間隔ＭＡＴ（図１）の始めである時刻ｔmでは、証印４２および酸化還元染料２２の間のコントラストは識別可能であることができ、およびメッセージ証印４２が出現し始める（図３Ｃ）。色遷移時間間隔の終了間際である時刻ｔCでは、証印は明確に識別可能になる（図３Ｄ）。最後に、酸化還元染料が最終知覚色ｃ2を示す時刻ｔ2では、証印の描画は完全に視認可能である（図３Ｅ）。
【００５８】
２つ以上のメッセージ証印が時間指示器具１０において用いられ得る。各メッセージ証印は、色コントラスト範囲およびメッセージ出現時間に基づいて、視認者にとって不明瞭であるかまたは識別可能であるかのいずれかである、予め定められた色が付与される。
【００５９】
図４Ａから４Ｆは、本発明の時間指示器具１０についての種々の使用法を示す。
【００６０】
図４Ａ〜４Ｄを参照すると、本発明に基づく時間指示器具１０が共に用いられ得る、時間に敏感な製品または物品のための種々のコンテナが示されている。コンテナは、内部に時間に敏感な製品または物品が配置される、支持的なおよび／または保護的な筐体（すなわち、パッケージ）を提供する。
【００６１】
製品または物品は、新鮮さ、効力および／または安全性が、限定的な持続時間または固有の、至適、寿命を有するいかなる品でもあることができる。このような製品の例示的な（包括的ではないが）リストとしては、加工食品（例えば、ベビーフード、図４Ａ）、生鮮食品（例えば、オレンジジュース、図４Ｂ）、食肉製品（図４Ｃ）、または医療用機器（例えば、コンタクトレンズ、図４Ｄ）が挙げられるであろう。時間指示器具１０が実用性を見出す無数の他の製品および物品のうち、薬、殺虫剤、殺菌剤、冷媒ガス、化粧品、バッテリー、油、薬品、血液成分、または写真フィルムのためのコンテナまたはパッケージングが包含される。
【００６２】
コンテナは、いずれかの簡便な方策で構成され、および列挙した物品のいずれかを収容するために簡便ないずれかのサイズおよび形状を示し得る。
【００６３】
本発明に基づく時間経過指示器具１０はコンテナに付けられる。この明細書および特許請求の範囲の全体で用いられるとおり、「付ける」とは、器具１０が、レセプタクル１２内の酸化還元染料が表されていると共に、視認者によって視認可能であるよう、コンテナ上または中のいずれかの簡便な位置に位置されることを意味する。
【００６４】
時間指示器具１０は、コンテナの外部（図４Ａ、４Ｂおよび４Ｄ）または、コンテナの内部内（図４Ｃ）の一方に付けられ得る。コンテナの外部に付けられた場合には、時間指示器具１０の酸素不透過性ジャケット３０のタブ４０が用いられ得る。器具１０は、タブ４０を除去して上方酸素−透過性フィルム１６の一部を酸素に露出させて、図１に図示される時間依存変色プロセスを開始させる（すなわち、タブ４０の除去がｔ0を設定する）ことにより、使用者によって機能開始される。
【００６５】
図４Ｅおよび４Ｆは、本発明に基づく時間指示器具１０の、セキュリティバッジまたは点検タグなどの点検環境における使用を例示する。時間指示器具１０のための点検用途としては、通知（例えば、自動車または炉におけるフィルタの交換のためまたはポンプまたは他の器具における潤滑剤の交換のため）およびビジターパスが挙げられる。図４Ｅは、初期の発行された状態でのバッジを例示する。図４Ｆは、酸化還元染料がその最終知覚色に達したときのバッジの状態を示す。図４Ｆに示されるとおり、単語「失効」によって図示される、メッセージ証印４２も使用され得る。
【００６６】
図５は、本発明の他の態様に基づく、時間指示器具１０の生産プロセスを図示する様式的な概略図である。紙基材２４がレセプタクル１２内に配置された、時間指示器具１０の実施形態の生産を、先ず検討する。
【００６７】
基材２４の供給ストリップ１０２が供給コンベヤ１０４上をローディングステーション１０８に向かって方向１０６に搬送される。ローディングステーション１０８は、主処理コンベヤ１１０の隣に位置されている。各基材２４は、付着された、予め定められた計量された量の酸化型の酸化還元染料２２を含有する。メッセージ証印４２が基材２４上にプリントされている。酸化された酸化還元染料２２の付着およびメッセージ証印４２のプリントは、供給コンベヤ１０４に隣接する予備的な生産ラインまたは他の場所でなされればよい。
【００６８】
主処理コンベヤ１１０は、ローディングステーション１０８を通過して方向１１２に移動する。酸素不透過性ジャケットの下方フォイルシース３４を形成する金属フォイルストリップおよび下方高分子フィルム１８が、（前者の上に後者が置かれて）主処理コンベヤ１１０によって運搬される。
【００６９】
基材ローディングステーション１０８では、個別の紙基材２４が供給ストリップ１０２からカッター１１４によって切り離されると共に、主処理コンベヤ１１０上の下方高分子フィルム１８上に順番に付着される。この動作は、参照矢印１１６によって図示される。紙基材２４は、それらの間に規定された、予め定められた間隔距離１１８でフィルム１８上に置かれる。
【００７０】
基材２４は、無酸素雰囲気を内包する筐体１２２に搬送される。いかなる不活性雰囲気を用いてもよいが、窒素雰囲気が好ましい。筐体１２２内のディスペンサステーション１２４では、予め定められた計量された量の還元剤が各基材２４上に付着される。還元剤がアルカリ性媒体内に保有されていることが重要である。ｈｙｄｒｏを単独で、染色された基材またはアルカリ性化合物を含有する染色された基材に添加しても、酸化還元染料の還元型への完全な転換はもたらされないことが見出されている。
【００７１】
基材２４上に分取される還元剤の量は、基材２４上の酸化還元染料の酸化型を予め定められた量の還元型に現場で転換することが可能である量である。前述のとおり、酸化還元染料の還元型の予め定められた量は、基材の色遷移時間間隔が厳密に制御されることが可能であるようレセプタクルへの酸素透過度１２（図２Ａ）に従って決定される。
【００７２】
ディスペンサステーション１２４の下流の筐体１２２内の地点１２８では、上方フィルム１６が下方フィルム１８上に置かれる。次いで、上方および下方フィルム１６、１８が、それらのマージン２０に沿って、符号１３０によって図示される熱シーラーによって一緒に封止され、これにより、封止済レセプタクル１２が形成される。前述の考察から理解され得るように、上述の態様で形成された封止済レセプタクル１２は、予め定められた計量された量の酸化還元染料の酸化型をアルカリ性媒体中の有効量の還元剤と共に一緒に有する。レセプタクル内の還元剤の量は、酸化還元染料の酸化型を予め定められた量の還元型に現場（すなわち、レセプタクル１２内で）転換することができる量である。酸化還元染料の還元型の色遷移時間が厳密に制御されることが可能であるよう、酸化還元染料の還元型の予め定められた量はレセプタクルへの酸素透過度に従って決定される。
【００７３】
酸化還元染料の還元型への転換を加速するために、レセプタクル１２は、筐体１２２内の加熱ゾーン１３２で加熱されることができる。加熱ゾーン内の温度は、摂氏六十度（６０℃）未満であり得る。
【００７４】
未だ筐体１２２内ではあるが、加熱ゾーン１３２を過ぎた後、ジャケット３０の上方シース３２が下方シース３４上に重ねられる。これは符号１３６によって示されている。上方シース３２および下方シース３４の相互に接合接触する縁部の間の酸素不透過性封止３６はシーラー１４０によって形成されている。
【００７５】
仕上がった時間指示器具のストリップが巻き取りリール１４２によって回収される。
【００７６】
代わりに、符号１４６で示唆されているように、証印４２は下方フィルム１８上に直接的にプリントされていてもよい。この場合には、供給コンベヤ１０４が基材２４を主処理ラインに供給する必要性が無くなる。
【００７７】
酸化還元染料の酸化型およびアルカリ性媒体中の有効量の還元剤を封止済レセプタクル内に付着させると、還元型への染料の転換が現場（すなわち、封止済レセプタクル内）で生じることができる。従って、本発明に基づく時間指示器具１０は、高速で、高処理量生産プロセスで、生産されることができる。このような生産プロセスに対する被適用性は時間指示器具のコストを軽減し得る。
【実施例】
【００７８】
以下の実施例において、時間指示器具用のレセプタクルが、高酸素バリア性プラスチックフィルム（例えば、ＰＶＤＣ−被覆ＰＥＴフィルムまたは熱封止性ＰＥＴフィルム）またはポリプロピレンフィルムを用いて形成される。染料（Ｃｉｂａｎｏｎ  Ｙｅｌｌｏｗ  ＧＣ  ＰＳＴ（００９４３ＨＦ４）染料）を、ノースカロライナ州ハイポイント（Ｈｉｇｈ  Ｐｏｉｎｔ，Ｎｏｒｔｈ  Ｃａｒｏｌｉｎａ）のＣｉｂａ  Ｓｐｅｃｉａｌｔｙ  Ｃｈｅｍｉｃａｌｓから得た。実施例で用いた染料の量、ＮａＯＨおよびヒドロ亜硫酸ナトリウム（「ｈｙｄｒｏ」）の量が以下に示されている。
【００７９】
「経過時間」（ＥＴ）、「色遷移時間」（ＣＴＴ）、「遅延時間」（ＤＴ）および「メッセージ出現時間」（ＭＡＴ）についての時間間隔は、図１に関連して定義されているとおりであり、および以下に開示されている。
【００８０】
時間指示器具を調製するための基本手順
本明細書上記に記載の本発明に基づく時間指示器具を、実施例において用いるために以下のとおり調製した。
所望のサイズ（例えば、１．５インチ×３．０インチ（３．８ｃｍ×７．６ｃｍ）または１インチ×１インチ（２．５ｃｍ×２．５ｃｍ））のレセプタクルを、２片のフィルムを互いに重ねて置きおよび底縁および一側縁を二重熱封止することにより調製した。
【００８１】
フィルタ紙基材を、例えば、０．３７５インチ（１ｃｍ）のディスクまたは１インチ（２．５ｃｍ）の正方形の、所望のサイズに切り取った。
【００８２】
予め定められた量の染料溶液をフィルタ紙基材上にピペットで取り、および空気乾燥させた。
【００８３】
乾燥したフィルタ紙基材をレセプタクルに挿入し、およびさらなる縁を二重熱封止した。
【００８４】
ヒドロ亜硫酸ナトリウム（「ｈｙｄｒｏ」）の水性ＮａＯＨ中の溶液を不活性雰囲気下に調製しｐＨが１１より大きい溶液を得た。
【００８５】
窒素パージ下に、予め定められた量のｈｙｄｒｏ／水性ＮａＯＨ溶液をレセプタクルに添加し、レセプタクルをクランプで締め付けることにより過剰な窒素を除去し、およびレセプタクルの最後の縁を二重熱封止した。
【００８６】
以下の実施例において他に記載のない限りにおいて、記載の比は重量比である。これらの実施例において用いたＣｉｂａｎｏｎ  Ｙｅｌｌｏｗ  ＧＣ  ＰＳＴ（００９４３ＨＦ４）染料は、酸化型においては黄色でありおよび還元型においては青または赤−オレンジである。封止済レセプタクル中において、ｈｙｄｒｏおよび水性ＮａＯＨの存在下に、染色されたフィルタ紙基材は、黄色から、無酸素時に青または赤−オレンジに、変化する。この転換は、レセプタクルを６０℃未満の温度に簡単に加熱することにより、加速させることができる。還元染料が元の（黄色）色に戻るまでの経過時間は、ＮａＯＨ、染料およびｈｙｄｒｏ、および高分子フィルムレセプタクルの酸素透過度（ＯＴＲ）の相対量に依存する。これらの可変要素を操作することにより、数時間〜２カ月以上の範囲内で制御された態様で、色変化のための経過時間を異ならせられる。
【００８７】
レセプタクルに進入する酸素の量が酸素透過度およびレセプタクルの総表面積の両方に応じて変化することとなるため、酸化還元染料および還元剤の量は、二平方インチ（２インチ2；５．０８ｃｍ2）未満の、または九平方インチ（９インチ2；２２．８ｃｍ2）を超えるレセプタクルについて調製される必要があり得る。
【００８８】
Ａ．経過時間への染料／ｈｙｄｒｏ比の効果
上記の基本手順に従い、１インチ×１インチ（２．５４ｃｍ×２．５４ｃｍ）フィルタ紙基材を、表１に示した重量の染料を用いて染色し、および二軸延伸ポリプロピレンフィルムから形成されたレセプタクルに配置した。ＮａＯＨ対ｈｙｄｒｏを選択された比で含む水溶液を添加し、およびレセプタクルを封止した。レセプタクルは、およそ１．０５ｉｎ×１．０５ｉｎ（２．６７ｃｍ×２．６７ｃｍ）の大きさであった。レセプタクルを熱封止し、ならびに２３℃および５５％相対湿度（「ＲＨ」）で保持した。各実施例についての経過時間が表１に示されている。
【００８９】
表１−経過時間への染料対Ｈｙｄｒｏ比の効果
2008522163.tif 000003
【００９０】
実施例１〜３は、ｈｙｄｒｏ／染料比の増加は経過時間を長期化させることを実証する。
【００９１】
Ｂ．経過時間への温度およびｈｙｄｒｏ対ＮａＯＨ比の効果
表２に示した量の染料、ＮａＯＨおよびｈｙｄｒｏを用いて、上記の基本手順に従い時間指示器具を形成した。一面がＰＶＤＣで被覆されたＰＥＴの１つのフィルム、および熱封止性ＰＥＴバリア性フィルムの１つのフィルムからレセプタクルを形成した（ＰＶＤＣコーティングがレセプタクル内の内部容積に対向する。）。レセプタクルを熱封止し、ならびに１０℃、２２℃、および３０℃の温度、５０−５５％ＲＨで評価した。
【００９２】
表２−ＥＴへのＨｙｄｒｏ／ＮａＯＨおよび温度の効果
2008522163.tif 000004
【００９３】
これらの実施例４〜６は、経過時間がＨｙｄｒｏ／ＮａＯＨ比から基本的に独立していることおよび温度の上昇は経過時間を短期化させることを実証する。
【００９４】
Ｃ．経過時間へのｈｙｄｒｏの効果
表３に示した量の染料、ｈｙｄｒｏ、およびＨｙｄｒｏ／ＮａＯＨ比を用いて、上記の基本手順に従い時間指示器具を形成した。両面がＰＶＤＣで被覆されたＰＥＴのフィルムからレセプタクルを形成した。レセプタクルを熱封止し、ならびに２２℃および５０％ＲＨで保持した。各実施例についての経過時間が表３に示されている。
【００９５】
表３−経過時間へのｈｙｄｒｏの効果
2008522163.tif 000005
【００９６】
これらの実施例７〜１１は、ｈｙｄｒｏの量の増加は経過時間を長期化させることを実証する。
【００９７】
Ｄ．色遷移時間および経過時間への染料の量の効果
表４に示した量の染料、ＮａＯＨおよびｈｙｄｒｏを用いて、上記の基本手順に従い時間指示器具を形成した。二軸延伸ポリプロピレンのフィルムからレセプタクルを形成した。レセプタクルを熱封止し、ならびに２３℃および５５％ＲＨで保持した。初期知覚色は赤−オレンジであり、最終知覚色は黄色であった。各実施例についての経過時間が表４に示されている。
【００９８】
表４−ＥＴおよびＣＴＴへの染料の量の効果
2008522163.tif 000006
【００９９】
経過時間は、すべての４つの実施例について同程度（８５．５〜８６．３時間）であったが、染料の重量が０．０５ｍｇから１０ｍｇに増加された場合、色遷移時間は二倍近くまでのびた。これらの結果は、色遷移時間は、経過時間と独立に制御されることができることを実証する。
【０１００】
これらの実施例１２〜１５はまた、レセプタクル中に存在する還元された酸化還元染料の量に従って色遷移時間は制御されることを実証する。レセプタクル中の還元染料の量を減らすと色遷移時間の短期化をもたらす。
【０１０１】
Ｅ．色遷移時間およびメッセージアクセス時間へのｈｙｄｒｏの効果
０．０２５ｍｇの染料、Ｈｙｄｒｏ／ＮａＯＨ比＝４、および表５に示した量のＮａＯＨを用いて上記の基本手順に従い時間指示器具を形成した。一面がＰＶＤＣで被覆されたＰＥＴの２つのフィルムからレセプタクルを形成した（ＰＶＤＣコーティングは、レセプタクル内の内部容積に対向した）。レセプタクルを熱封止し、ならびに２２℃および５０％ＲＨで保持した。各実施例についての色遷移時間（ＣＴＴ）およびメッセージ出現時間（ＭＡＴ）が表５に示されている。
【０１０２】
表５−ＣＴＴおよびＭＡＴへのｈｙｄｒｏの効果
2008522163.tif 000007
【０１０３】
これらの実施例１６〜１８は、ｈｙｄｒｏを増加させると、色遷移時間、メッセージ出現時間および経過時間のすべてが増加することを実証する。
【０１０４】
これらの実施例１６〜１８はまた、還元剤および脱酸素剤の両方として機能するｈｙｄｒｏの量を増加させると、遅延時間が長期化することを実証する。
【０１０５】
Ｆ．ポリプロピレンフィルムを用いる指示器具パッケージの実施例
０．１ｍｇの染料、および表６に示した量のｈｙｄｒｏおよびＨｙｄｒｏ／ＮａＯＨ比を用いて上記の基本手順に従い時間指示器具を形成した。ノバスコシア州ノースシドニー（Ｎｏｒｔｈ  Ｓｙｄｎｅｙ，Ｎｏｖａ  Ｓｃｏｔｉａ）のＣｏｐｏｌ  Ｉｎｔｅｒｎａｔｉｏｎａｌ  ＬｔｄからＣＰ−３０１  ＵＯ  ＰＰ  フィルムとして市販されている、非延伸ポリプロピレンの２つのフィルムからレセプタクルを形成した。レセプタクルを熱封止し、ならびに２３℃および５５％ＲＨで保持した。各実施例についての色遷移時間およびメッセージ出現時間が表６に示されている。
【０１０６】
表６−ポリプロピレンフィルムを用いる指示器具パッケージについてのＣＴＴおよびＭＡＴ
2008522163.tif 000008
【０１０７】
これらの実施例１９〜２１は、レセプタクルに非延伸ポリプロピレンフィルムを利用しており、および比較的短いＣＴＴ、ＭＡＴおよびＥＴを結果としてもたらした。
【０１０８】
これらの実施例１９〜２１はまた、還元剤および脱酸素剤の両方として機能するｈｙｄｒｏの量を増加させると、遅延時間が長期化することを実証する。
【０１０９】
Ｇ．活性化エネルギーへのフィルムタイプおよび組成物の効果
上記の基本手順に従い、ディスクまたは正方形形状のフィルタ紙基材を、各実施例について表７に列挙した重量で染色し、および表７に列挙したバリア性フィルムを用いて形成したレセプタクルに配置した。ポリプロピレンの２つのフィルムから形成されたレセプタクルが「ＰＰ／ＰＰ」と称される。一面がＰＶＤＣで被覆されたＰＥＴの１つのフィルム、および熱封止性ＰＥＴバリア性フィルムの１つのフィルムから形成されたレセプタクルが「ＰＥＴ−ＰＶＤＣ／ＨＳ−ＰＥＴ」と称される。
【０１１０】
各レセプタクルはおよそ１．０５インチ×１．０５インチ（２．７ｃｍ×２．７ｃｍ）の大きさであった。各実施例についてのｈｙｄｒｏおよびＮａＯＨを含有する水溶液（０．１ｍｌ）を、窒素雰囲気下で、ピペットでレセプタクルに取った。次いで、レセプタクルを熱封止し、ならびに２３℃および５５％ＲＨで保持した。各実施例についての経過時間および活性化エネルギーが表７に示されている。
【０１１１】
本明細書中上記に記載の本発明の教示による利益を有する当業者は、数多くの改変をこれになし得る。このような改変は、添付の特許請求の範囲により定義される本発明の思想の範囲内にあると解釈される。
【０１１２】
表７−ＥＴへの活性化エネルギーの効果
2008522163.tif 000009
【図面の簡単な説明】
【０１１３】
【図１】図１は、本発明の時間指示器具において用いられる酸化還元染料材料の時間依存性色特性のグラフ表示である。
【図２Ａ】図２Ａは、本発明に基づく時間指示器具の高度に様式的な側断面図である。
【図２Ｂ】図２Ｂは、図示の明確さのために、外側酸素不透過性ジャケットおよびレセプタクルを形成する１つのフィルムの一部分を切り抜いた、図２Ａに示した時間指示器具の高度に様式的な平面図である。
【図３Ａ】図３Ａは、色遷移時間間隔内に定義された種々の時刻での、本発明に基づく器具において用いられるメッセージ証印の運用を図示する様式的な視認図である。
【図３Ｂ】図３Ｂは、色遷移時間間隔内に定義された種々の時刻での、本発明に基づく器具において用いられるメッセージ証印の運用を図示する様式的な視認図である。
【図３Ｃ】図３Ｃは、色遷移時間間隔内に定義された種々の時刻での、本発明に基づく器具において用いられるメッセージ証印の運用を図示する様式的な視認図である。
【図３Ｄ】図３Ｄは、色遷移時間間隔内に定義された種々の時刻での、本発明に基づく器具において用いられるメッセージ証印の運用を図示する様式的な視認図である。
【図３Ｅ】図３Ｅは、色遷移時間間隔内に定義された種々の時刻での、本発明に基づく器具において用いられるメッセージ証印の運用を図示する様式的な視認図である。
【図４Ａ】図４Ａは、本発明に基づく器具が用いられ得る種々の環境を図示する様式的な視認図である。
【図４Ｂ】図４Ｂは、本発明に基づく器具が用いられ得る種々の環境を図示する様式的な視認図である。
【図４Ｃ】図４Ｃは、本発明に基づく器具が用いられ得る種々の環境を図示する様式的な視認図である。
【図４Ｄ】図４Ｄは、本発明に基づく器具が用いられ得る種々の環境を図示する様式的な視認図である。
【図４Ｅ】図４Ｅは、本発明に基づく器具が用いられ得る種々の環境を図示する様式的な視認図である。
【図４Ｆ】図４Ｆは、本発明に基づく器具が用いられ得る種々の環境を図示する様式的な視認図である。
【図５】図５は、本発明に基づく時間指示器具の生産の様式的な概略図である。
【図１】
2008522163.tif 000010
【図２Ａ】
2008522163.tif 000011
【図２Ｂ】
2008522163.tif 000012
【図３Ａ】
2008522163.tif 000013
【図３Ｂ】
2008522163.tif 000014
【図３Ｃ】
2008522163.tif 000015
【図３Ｄ】
2008522163.tif 000016
【図３Ｅ】
2008522163.tif 000017
【図４Ａ】
2008522163.tif 000018
【図４Ｂ】
2008522163.tif 000019
【図４Ｃ】
2008522163.tif 000020
【図４Ｄ】
2008522163.tif 000021
【図４Ｅ】
2008522163.tif 000022
【図４Ｆ】
2008522163.tif 000023
【図５】
2008522163.tif 000024
【国際調査報告】
2008522163.tif 000025
2008522163.tif 000026
2008522163.tif 000027